(57)【要約】【課題】軸部に対するハブ部の固定精度および締結強度を高め、流体軸受装置の高回転精度化および低コスト化に寄与する。【解決手段】ハブ部９は、軸部２をインサートしてポリフェニレンサルファイド（ＰＰＳ）等をベース樹脂とする樹脂組成物で射出成形されている。ハブ部９は、軸部２の外周面２ａのうち、ハブ部９との固定領域に設けられた凹部１２で前記軸部２と軸方向および円周方向に係合し、抜け止めおよび回り止めが図られている。【選択図】図２
2007263225.tif 000002
【特許請求の範囲】
【請求項１】
軸受部材と、該軸受部材に対して相対回転する回転部材と、前記軸受部材と前記回転部材との間のラジアル軸受隙間に生じる流体の潤滑膜で前記回転部材をラジアル方向に回転自在に支持するラジアル軸受部とを備え、前記回転部材は、前記軸受部材の内周に挿入され、一端部にねじ穴を有する軸部と、該軸部の外周面のうち、前記ねじ穴の外径側に固定されたハブ部とを有する流体軸受装置において、
前記ハブ部が前記軸部をインサートして樹脂で射出成形され、かつこのハブ部が、前記軸部の外周面のうち、ハブ部との固定領域に設けられた凹部で前記軸部と軸方向および円周方向に係合していることを特徴とする流体軸受装置。
【請求項２】
前記凹部を、円環溝と、該円環溝の溝底面の一部領域に形成された平坦面とで構成した請求項１記載の流体軸受装置。
【請求項３】
前記凹部を、円環溝と、該円環溝に繋がる前記軸部の外周面の一部領域に形成された平坦面とで構成した請求項１記載の流体軸受装置。
【請求項４】
前記樹脂が、ポリフェニレンサルファイドあるいは液晶ポリマーをベース樹脂とする樹脂組成物である請求項１記載の流体軸受装置。
【請求項５】
請求項１〜４の何れかに記載の流体軸受装置と、ステータコイルと、ロータマグネットとを有するモータ。
【発明の詳細な説明】
【技術分野】
【０００１】
本発明は、流体軸受装置に関するものである。
【背景技術】
【０００２】
流体軸受装置は、軸受部材と回転部材との相対回転により、軸受隙間に生じる流体の潤滑膜で回転部材を回転自在に支持するものである。この流体軸受装置は、高速回転、高回転精度、低騒音等の特徴を有するものであり、近年ではその特徴を活かして、情報機器、例えばＨＤＤ、ＦＤＤ等の磁気ディスク装置、ＣＤ−ＲＯＭ、ＣＤ−Ｒ／ＲＷ、ＤＶＤ−ＲＯＭ／ＲＡＭ等の光ディスク装置、ＭＤ、ＭＯ等の光磁気ディスク装置等のディスク装置に搭載するスピンドルモータ用の軸受等として広く用いられている。
【０００３】
この種の流体軸受は、軸受隙間内の流体（例えば、潤滑油）に動圧を発生させる動圧発生手段を備えた動圧軸受と、動圧発生手段を備えていない、いわゆる真円軸受（軸受面が真円形状である軸受）とに大別される。
【０００４】
例えば、上記のスピンドルモータに組込まれる流体軸受装置では、回転部材を構成する軸部（軸部材）をラジアル方向に支持するラジアル軸受部が設けられ、該ラジアル軸受部は動圧軸受で構成される場合が多い。また、この種の流体軸受装置には、回転部材をスラスト方向に支持するスラスト軸受部が設けられ、該スラスト軸受部としては、動圧軸受が用いられる場合と、軸部の一端を接触支持する構造の軸受（いわゆるピボット軸受）が用いられる場合とがある。
【０００５】
上記スピンドルモータには、ディスクを支持するハブ部（ディスクハブ）が設けられる。ハブ部は軸部と別体の金属材料で形成され、圧入、溶接、焼きばめ、塑性流動加工等適宜の手段で、軸部の一端外径側に固定される。軸部には、さらに、ハブ部との間でディスクを挟持するクランパが固定され、このクランパは、例えば軸部のうち、ハブ部との固定部内径側に設けられたねじ穴にねじ止め固定される（例えば、特許文献１参照）。
【特許文献１】特開２０００−２３５７６６号公報
【発明の開示】
【発明が解決しようとする課題】
【０００６】
近年のディスク装置の大容量化に伴ってディスクの記録・再生の高密度化が進展している。これに伴い、スピンドルモータ用の流体軸受装置には、軸振れ等のない高い回転精度が要求されている。また、ＨＤＤ等のディスク装置に搭載される流体軸受装置では、ディスクの高い回転精度を維持できるよう、ディスクを搭載するハブ部と軸部との間には高い締結強度も求められる。
【０００７】
従来構成において、軸部のうち、ハブ部の固定部となる領域の肉厚は、その内径側にねじ穴が設けられているため薄肉となる。そのため、圧入や塑性流動加工のように圧入力を伴う方法で固定する場合には、固定部が圧入に伴って変形するおそれがあり、また、溶接や焼きばめのように高温加熱が必要な方法で固定する場合には、熱変形するおそれがある。したがって、従来構成では、軸部に対するハブ部の組付け精度や締結強度を確保し、高回転精度化の要求に対応するのが困難である。
【０００８】
その一方で、近年のディスク装置の低価格化に伴って、流体軸受装置に対するコスト低減の要求が厳しさを増している。
【０００９】
本発明の課題は、軸部に対するハブ部の組付け精度および締結強度を高め、流体軸受装置の高回転精度化を図ることにある。また本発明の他の課題は、流体軸受装置の低コスト化を図ることにある。
【課題を解決するための手段】
【００１０】
上記課題を解決するため、本発明に係る流体軸受装置は、軸受部材と、軸受部材に対して相対回転する回転部材と、軸受部材と回転部材との間のラジアル軸受隙間に生じる流体の潤滑膜で回転部材をラジアル方向に回転自在に支持するラジアル軸受部とを備え、回転部材は、軸受部材の内周に挿入され、一端部にねじ穴を有する軸部と、軸部の外周面のうち、ねじ穴の外径側に固定されたハブ部とを有するものであって、ハブ部が軸部をインサートして樹脂で射出成形され、かつこのハブ部が、軸部の外周面のうち、ハブ部との固定領域に設けられた凹部で軸部と軸方向および円周方向に係合していることを特徴とするものである。ここでいうハブ部として、例えば、磁気ディスク等を支持するディスクハブやターンテーブル等が挙げられる。
【００１１】
上記のように、軸部をインサートしてハブ部を射出成形（インサート成形）すれば、型精度を高めておくだけで、軸部に対する組付け精度を高めることができる。このハブ部は、軸部の外周面のうち、ハブ部との固定領域に設けられた凹部で軸部と軸方向および円周方向に係合していることから、軸部に対する抜け止め、さらには回り止めが図られ、軸部との締結強度が高められる。またインサート成形であれば、ハブ部の成形と組付けを一工程で行うことができるため製造コストの低廉化が図られ、さらに射出材料として樹脂を用いれば、ハブ部を金属で形成する場合に比べて軽量化および低コスト化を図ることができる。
【００１２】
軸部に設けられる凹部は、加工コストを抑制し、また凹部の成形に伴う変形を防止してハブ部の組付け精度を高める観点から、例えば切削等の機械加工で容易に形成可能な構成とするのが望ましく、例えば、円環溝と、該円環溝の溝底面の一部領域に形成された平坦面とで構成することができる。あるいは、凹部は、円環溝と、該円環溝に繋がる軸部の外周面の一部領域に形成された平坦面とで構成することができる。ハブ部の射出成形時に軸部の凹部にも充填されて固化した部分が、円環溝の両側壁と軸方向に係合することにより、ハブ部の軸部に対する軸方向両側への相対移動が規制され、かつ、平坦面と円周方向に係合することにより、ハブ部の軸部に対する円周方向両側への相対移動が規制される。これにより、ハブ部の軸部に対する抜け止めと回り止めが同時に達成され、ハブ部と軸部との締結強度が高められる。
【００１３】
ハブ部には、それ自体の強度も必要とされるから、射出成形に用いる樹脂は、射出成形可能な樹脂のなかでも、特に高強度なポリフェニレンサルファイド（ＰＰＳ）あるいは液晶ポリマー（ＬＣＰ）をベース樹脂とする樹脂組成物が望ましい。
【００１４】
本発明に係る流体軸受装置は、ステータコイルと、ロータマグネットとを有するモータに好ましく用いることができ、特に本発明の流体軸受装置は、上記のような特徴を有することから、モバイル用のディスク装置に搭載されるスピンドルモータに好ましく用いることができる。
【発明の効果】
【００１５】
以上より、本発明によれば、軸部に対するハブ部の組立精度や締結強度を高め、流体軸受装置の高回転精度化を図ることができる。また、ハブ部を備えた流体軸受装置の低コスト化を図ることもできる。
【発明を実施するための最良の形態】
【００１６】
以下、本発明の実施形態を図面に基づいて説明する。
【００１７】
図１は、本発明に係る流体軸受装置（流体動圧軸受装置）１を組み込んだ情報機器用スピンドルモータの一構成例を概念的に示している。このスピンドルモータは、ＨＤＤ等のディスク駆動装置に用いられるもので、軸部２を備えた回転部材３を回転自在に支持する流体軸受装置１と、例えば半径方向のギャップを介して対向させたステータコイル４およびロータマグネット５と、ブラケット６とを備えている。ステータコイル４はブラケット６の内周に取付けられ、ロータマグネット５は回転部材３の外周に取付けられる。流体軸受装置１のハウジング７は、ブラケット６の内周に装着される。回転部材３には、図示は省略するが、磁気ディスク等のディスク状情報記録媒体（以下単に、ディスクと称す）が一又は複数枚保持される。ステータコイル４に通電すると、ステータコイル４とロータマグネット５との間の電磁力でロータマグネット５が回転し、それに伴って、回転部材３および回転部材３に保持されたディスクが軸部２と一体に回転する。
【００１８】
図２は、上記スピンドルモータで使用される流体軸受装置１の一例を示すものである。この流体軸受装置１は、軸受部材１０と、軸受部材１０に対して相対回転する回転部材３とを主要な構成部品として備える。本実施形態において、軸受部材１０は、ハウジング７と、ハウジング７の内部に保持された軸受スリーブ８とで構成されている。なお、以下説明の便宜上、ハウジング７の底部７ｂが設けられた側を下側、その軸方向反対側を上側として説明を進める。
【００１９】
ハウジング７は、金属材料あるいは樹脂材料で略円筒状に形成された側部７ａと、側部７ａの下端開口部を閉塞する底部７ｂとで構成される。側部７ａの外周には、上方に向かって漸次拡径するテーパ状の外壁７ａ３が形成されている。側部７ａの下端内径側には、底部７ｂが固定される段部７ａ４が形成され、この段部７ａ４を除き、側部７ａの内周面７ａ１は同径でストレートな円筒面に形成されている。底部７ｂは、段部７ａ４の内周に、接着、圧入、圧入接着、溶着等、形成材料に合わせて適宜の手段で固定される。
【００２０】
ハウジング７のうち、側部７ａの上側端面７ａ２の全面または一部環状領域は、第１スラスト軸受部Ｔ１のスラスト軸受面となり、該スラスト軸受面となる領域には、図示は省略するが、例えばスパイラル形状に配列された複数の動圧溝が形成されている。動圧溝は、ハウジング７の上側端面７ａ２とスラスト軸受隙間を介して対向するハブ部９の下側端面９ａ１に形成してもよい。なお動圧溝形状は、スパイラル形状の他、例えばヘリングボーン形状等に形成することもできる。
【００２１】
軸受スリーブ８は、例えば、焼結金属からなる多孔質体、特に銅を主成分とする燒結金属の多孔質体で円筒状に形成され、ハウジング７の内周面７ａ１の所定位置に圧入、接着、あるいは圧入接着等の手段で固定される。なお、焼結金属に限らず、多孔質体ではない他の金属材料、例えば黄銅等の軟質金属で軸受スリーブ８を形成することも可能である。
【００２２】
軸受スリーブ８の内周面８ａには、第１ラジアル軸受部Ｒ１と第２ラジアル軸受部Ｒ２のラジアル軸受面となる上下２つの領域が軸方向に離隔して設けられ、該２つの領域には、例えば図３（ａ）に示すようなヘリングボーン形状の動圧溝８ａ１、８ａ２がそれぞれ形成される。上側の動圧溝８ａ１は、軸方向中心ｍ（上下の傾斜溝間領域の軸方向中央）に対して軸方向非対称に形成されており、軸方向中心ｍより上側領域の軸方向寸法Ｘ１が下側領域の軸方向寸法Ｘ２よりも大きくなっている。一方、下側の動圧溝８ａ２は軸方向対称に形成され、その上下領域の軸方向寸法はそれぞれ上記軸方向寸法Ｘ２と等しくなっている。この場合、軸部材２の回転時には、動圧溝による潤滑油の引き込み力（ポンピング力）は下側の対称形の動圧溝８ａ２に比べ、上側の動圧溝８ａ１で相対的に大きくなる。動圧溝形状としては、公知のその他の形状、例えばスパイラル形状等に形成することもできる。なお、軸受スリーブ８の外周面８ｂには、１本又は複数本の軸方向溝８ｂ１が軸方向全長に亘って形成されており、本実施形態では、３本の軸方向溝８ｂ１が円周方向等間隔に形成されている。
【００２３】
また、軸受スリーブ８の下側端面８ｃの一部または全部環状領域には、第２スラスト軸受部Ｔ２のスラスト軸受面が形成され、当該スラスト軸受面となる領域には、例えば図３（ｂ）に示すようなスパイラル形状の動圧溝８ｃ１が形成される。なお、動圧溝形状は、スパイラル形状の他、例えばヘリングボーン形状等に形成することもできる。またスラスト軸受面（動圧溝）は、スラスト軸受隙間を介して対向するフランジ部１１の上側端面１１ａに形成してもよい。
【００２４】
回転部材３は、軸受スリーブ８の内周に挿入される軸部２と、該軸部２をインサートして樹脂で射出成形（インサート成形）されたハブ部（ディスクハブ）９と、軸部２の下端に固定されたフランジ部１１とで構成される。
【００２５】
軸部２は、例えばステンレス鋼等の金属材料で略円筒状に形成される。軸部２ａの上端部内周にはねじ穴２ａ１が設けられ、該ねじ穴２ａ１に、ハブ部９との間でディスクを挟持するクランパ（図示省略）がねじ止め固定される。また、軸部２の下端部内周にもねじ穴２ａ２が設けられ、軸部２の抜け止めとして、金属製のフランジ部１１がねじ止め固定される。軸部２の外周面２ａは、ハブ部９の固定部となる領域を除き、動圧溝等のない平滑な円筒面に形成されている。
【００２６】
軸部２の外周面２ａのうち、ハブ部９の固定部となる領域には、図２および図４に示すような凹部１２が例えば切削等の機械加工で形成されており、この凹部１２にはハブ部９を構成する樹脂材料が充填され固化している。本実施形態において、凹部１２は、軸方向の一又は複数箇所（図示例では１箇所）で全周に亘って設けられた円環溝１２ａと、円環溝１２ａの溝底面の一部領域に形成された平坦面１２ｂとで構成されている。本実施形態では、２つの平坦面１２ｂが１８０度対向した領域に形成されている。また、各平坦面１２ｂは軸線と平行に形成されている。凹部１２に充填されて固化したハブ部９の部分が、円環溝１２ａの両側壁と軸方向に係合することにより、ハブ部９の軸部２に対する軸方向両側への相対移動が規制され、かつ、平坦面１２ｂと円周方向に係合することにより、ハブ部９の軸部２に対する円周方向両側への相対移動が規制される。これにより、ハブ部９の軸部２に対する抜け止めと回り止めが同時に達成され、ハブ部９と軸部２との締結強度が高められる。尚、円環溝１２ａの深さや軸方向幅、および平坦面１２ｂの大きさは、クランパをねじ止め固定する際の締結強度に悪影響を与えず、かつハブ部９の抜け止めおよび回り止め強度を確保し得る適切な値（例えば、最深部が肉厚の半分程度）となるように設定される。また、図示例では平坦面１２ｂを、１８０度対向した円周方向の２箇所に設けているが、これを円周方向の１箇所または３箇所以上に設けることもできる。
【００２７】
ハブ部９は、ハウジング７の上方に配置された円盤部９ａと、円盤部９ａの外周部から軸方向下方に延びた筒状部９ｂと、筒状部９ｂの外周に設けられたディスク搭載面９ｃおよび鍔部９ｄとを備えている。図示しないディスクは、円盤部９ａの外周に外嵌され、ディスク搭載面９ｃに載置される。そして、図示しないクランパとの間でディスクが挟持される。
【００２８】
ハブ部９の筒状部９ｂの内周面９ｂ１は、ハウジング７の側部７ａの外壁７ａ３との間に、ハウジング７の下端側から上方に向けて半径方向寸法が漸次縮小した環状のシール空間Ｓを形成する。このシール空間Ｓは、回転部材３の回転時、第１スラスト軸受部Ｔ１のスラスト軸受隙間の外径側と連通する。
【００２９】
上記ハブ部９を成形する樹脂材料としては、射出可能であれば結晶性樹脂あるいは非晶性樹脂を問わず使用可能であるが、特に高強度で寸法安定性に優れるポリフェニレンサルファイド（ＰＰＳ）あるいは液晶ポリマー（ＬＣＰ）をベース樹脂とする樹脂組成物が用いられる。上記ベース樹脂には、必要に応じて、強化材（繊維状、粉末状等の形態は問わない）や導電材等の各種充填材を一又は二種以上配合してもよい。
【００３０】
なお、ベース樹脂としては、上記以外にも、例えば、ポリエーテルエーテルケトン（ＰＥＥＫ）、ポリブチレンテレフタレート（ＰＢＴ）等の結晶性樹脂のほか、例えば、ポリサルフォン（ＰＳＵ）、ポリエーテルサルフォン（ＰＥＳ）、ポリフェニルサルフォン（ＰＰＳＵ）、ポリエーテルイミド（ＰＥＩ）等の非晶性樹脂も使用可能である。これらは、あくまでも使用可能なベース樹脂を例示したものであり、もちろん、この他の公知の樹脂材料をベース樹脂として使用することもできる。
【００３１】
また、特に重量等が問題とならないのであれば、射出材料として金属を用いることも可能である。金属材料としては、例えば、マグネシウム合金やアルミニウム合金等の低融点金属材料が使用可能である。この場合、樹脂材料を使用する場合に比べて、強度を一層向上させることができる。この他、金属粉とバインダーの混合物で射出成形した後、脱脂・焼結するいわゆるＭＩＭ成形を採用することもできる。さらにこの他、セラミックを使用することもできる。
【００３２】
上記構成の流体軸受装置１において、回転部材３が回転すると、軸受スリーブ８の内周面８ａのラジアル軸受面となる上下２箇所に離隔して設けられる領域は、それぞれ軸部２の外周面２ａとラジアル軸受隙間を介して対向する。そして、回転部材３の回転に伴い、上記ラジアル軸受隙間に生じる潤滑膜は、動圧溝の動圧作用によってその油膜剛性が高められ、回転部材３がラジアル方向に回転自在に非接触支持される。これにより、回転部材３をラジアル方向に回転自在に非接触支持する第１ラジアル軸受部Ｒ１と第２ラジアル軸受部Ｒ２とが形成される。
【００３３】
また、回転部材３が回転すると、ハウジング７の上側端面７ａ２のスラスト軸受面となる領域がハブ部９の下側端面９ａ１と所定のスラスト軸受隙間を介して対向し、軸受スリーブ８の下側端面８ｃのスラスト軸受面となる領域がフランジ部１１の上側端面１１ａと所定のスラスト軸受隙間を介して対向する。そして回転部材３の回転に伴い、両スラスト軸受隙間に形成された潤滑油膜は、動圧溝の動圧作用によってその油膜剛性が高められ、回転部材３が両スラスト方向に回転自在に非接触支持される。これにより、回転部材３をスラスト方向に回転自在に非接触支持する第１スラスト軸受部Ｔ１と第２スラスト軸受部Ｔ２とが形成される。
【００３４】
本実施形態では、ハブ部９を、軸部２をインサートして射出成形したので、型精度を高めておくだけで軸部２に対する組付け精度が高められ、また成形と組付けを同一工程で行えるため製造コストの低廉化が図られる。さらに、軸部２に凹部１２を設け、この凹部１２の円環溝１２ａでハブ部９を軸部２と軸方向に係合させ、かつ平坦面１２ｂでハブ部９を軸部２と円周方向（接線方向）に係合させたので、ハブ部９の抜け止め、および回り止めが図られ、軸部２とハブ部９の締結強度を高めることができる。
【００３５】
以上の説明では、凹部１２を構成する平坦面１２ｂを、同じく凹部１２を構成する円環溝１２ａの溝底面の一部領域に形成する形態を例示したが、例えば図５に示すように、平坦面１２ｂを、円環溝１２ａに繋がる軸部２の外周面の一部領域に形成することもできる。この場合、円環溝１２ａが形成された領域で軸部２は断面真円状に、また平坦面１２ｂが形成された領域で軸部２は断面Ｄカット状となる。この構成では、図４に示す構成と比べ、平坦面１２ｂを外径側に設けることができる分、平坦面の面積を大きくすることができるので、円周方向両側への係合力、すなわち回り止めを強固なものとすることができる。なお、図５では、平坦面１２ｂを円環溝１２ａに繋がる領域に設けた構成としたが、平坦面１２ｂはハブ部９の固定部となる軸方向領域内であるかぎり、円環溝１２ａと軸方向に離隔した領域に設けることもできる。
【００３６】
以上、本発明の一実施形態について説明を行ったが、本発明の構成は上記構成からなる流体軸受装置１のみならず、他の構成からなる流体軸受装置にも好ましく適用することができる。以下、流体軸受装置の他の構成例について説明を行うが、図２に示すものと同一の機能・作用を有する構成部材には同一の参照番号を付与し、重複説明を省略する。
【００３７】
図６は、本発明に係る流体軸受装置１の第２実施形態を示している。図示例の流体軸受装置１は、別体のハウジング７（の側部７ａ）と軸受スリーブ部８とで構成された軸受部材を、一体の軸受部材１７で構成した点で図２に示す実施形態と構成を異にする。このように軸受部材１７を単一部品とすることで、部品点数および組立工数の削減を通じて一層低コスト化を図ることもできる。この場合、軸受部材１７の内周面１７ａと軸部２の外周面２ａとの間にラジアル軸受部Ｒ１、Ｒ２が形成され、軸受部材１７の上側端面１７ｂとハブ部９の下側端面９ａ１との間、および軸受部材１７の下側端面１７ｃとフランジ部１１の上側端面１１ａとの間にそれぞれスラスト軸受部Ｔ１、Ｔ２が形成される。
【００３８】
図７は、本発明に係る流体軸受装置の第３実施形態を示している。図示例の流体軸受装置１は、主に回転部材を構成する軸部２１とフランジ部２２とが一体に形成された点、シール空間Ｓが、ハウジング７の一端内周に固定されたシール部材１９の内周面１９ａと軸部２１の外周面２１ａとの間に形成された点、およびスラスト軸受部がフランジ部２２の両端面２２ａ、２２ｂが面するスラスト軸受隙間に形成される点で図２に示す実施形態と構成を異にする。なお、本実施形態では、軸受部材を別体のハウジング７（の側部７ａ）と軸受スリーブ８とで構成する形態を例示しているが、図６に示すものと同様、一体の軸受部材で構成することもできる。
【００３９】
以上の説明では、ラジアル軸受部Ｒ１、Ｒ２およびスラスト軸受部Ｔ１、Ｔ２として、ヘリングボーン形状やスパイラル形状の動圧溝により潤滑油の動圧作用を発生させる構成を例示しているが、本発明はこれに限定されるものではない。
【００４０】
例えば、図示は省略するが、ラジアル軸受部Ｒ１、Ｒ２の一方又は双方は、例えば、ラジアル軸受面となる領域に複数の軸方向溝を円周方向等間隔に設けた、いわゆるステップ軸受や、ラジアル軸受面となる領域に複数の円弧面を設けた、いわゆる多円弧軸受等を採用しても良い。また、スラスト軸受部Ｔ１、Ｔ２の一方又は双方は、例えば、スラスト軸受面となる領域に、複数の半径方向溝を円周方向所定間隔に設けた、いわゆるステップ軸受、いわゆる波型軸受（ステップ型が波型になったもの）等を採用しても良い。
【００４１】
また、以上の説明では、第１ラジアル軸受部Ｒ１および第２ラジアル軸受部Ｒ２の双方を動圧軸受で構成する形態を例示したが、第１ラジアル軸受部Ｒ１および第２ラジアル軸受部Ｒ２の一方又は双方を真円軸受で構成することもできる（図示省略）。
【００４２】
また、以上の説明では、スラスト軸受部を動圧軸受で構成する形態を例示したが、スラスト軸受部を、軸部２の一端を凸球状に形成し、該軸端を軸受部材１０（ハウジング７）の底部７ｂで接触支持するいわゆるピボット軸受とすることもできる。
【００４３】
以上の説明では、流体軸受装置１の内部に充満する流体として潤滑油を例示したが、それ以外にも、例えば空気等の気体や、磁性流体等を使用することもできる。
【図面の簡単な説明】
【００４４】
【図１】ディスク装置用のスピンドルモータを概念的に示す断面図である。
【図２】流体軸受装置の第１実施形態を示す断面図である。
【図３】（ａ）図は軸受スリーブの断面図、（ｂ）図は軸受スリーブの下側端面を示す図である。
【図４】軸部の一端部の拡大断面図である。
【図５】軸部の一端部の他の構成例を示す拡大断面図である。
【図６】流体軸受装置の第２実施形態を示す断面図である。
【図７】流体軸受装置の第３実施形態を示す断面図である。
【符号の説明】
【００４５】
１    流体軸受装置
２    軸部
３    回転部材
７    ハウジング
８    軸受スリーブ
９    ハブ部
１０  軸受部材
１２  凹部
１２ａ  円環溝
１２ｂ  平坦面
Ｒ１、Ｒ２  ラジアル軸受部
Ｔ１、Ｔ２  スラスト軸受部
Ｓ    シール空間
【図１】
2007263225.tif 000003
【図２】
2007263225.tif 000004
【図３】
2007263225.tif 000005
【図４】
2007263225.tif 000006
【図５】
2007263225.tif 000007
【図６】
2007263225.tif 000008
【図７】
2007263225.tif 000009